(57)【特許請求の範囲】
【請求項１】
配線が接続される基板と、
前記配線を保持する複数の配線保持部が一体に設けられ、前記基板の周縁に沿って前記配線を誘導する配線誘導部材とを備え、
前記配線誘導部材は、上方から前記配線が入れられ下方から前記配線を保持する前記配線保持部と、下方から前記配線が入れられ上方から前記配線を保持する前記配線保持部が、前記基板の辺から外側に突出し、前記基板の辺に沿って交互に設けられると共に、
前記配線誘導部材は、本体シャーシに形成された脚部に挿入される穴部を備え、前記脚部に取り付けられた基板と前記本体シャーシとの間に挟持されて、前記本体シャーシと前記基板との間に形成された取付空間に固定される
ことを特徴とする設備機器。
【請求項２】
前記配線誘導部材は、前記配線保持部が前記基板の一の辺に沿って設けられると共に、前記基板の一の辺と交差する他の辺に沿って設けられ、前記基板の角部に沿って前記配線を誘導する
ことを特徴とする請求項１に記載の設備機器。
【請求項３】
前記配線誘導部材は、前記配線保持部で保持される前記配線が前記配線保持部から外れることを防止する外れ防止部を備えた
ことを特徴とする請求項１または請求項２に記載の設備機器。
【請求項４】
前記基板は、前記配線誘導部材で誘導される前記配線が接続される接続端子が、前記基板の外周に配置される
ことを特徴とする請求項１〜請求項３のいずれか１項に記載の設備機器。
【発明の詳細な説明】
【技術分野】
【０００１】
本発明は、電気部品等と基板が配線で接続される設備機器に関する。
【背景技術】
【０００２】
従来から、住宅等の建物に、空調装置や換気扇等の設備機器が配置される。例えば、浴室の天井には、浴室の暖房や換気等を行う浴室換気乾燥暖房機が設置されている。
【０００３】
浴室換気乾燥暖房機ではヒータを搭載しており、ヒータを駆動する素子等が実装された基板を備え、基板とヒータが配線で接続されて、ヒータへの通電制御が行われている（例えば、特許文献１参照）。浴室換気乾燥暖房機では、基板に実装された素子でヒータへの通電制御を行っているため、ヒータに接続される配線には高電流が流れている。
【０００４】
このように、配線に高電流が流れる浴室換気乾燥暖房機等の設備機器では、装置の組立作業、及び、装置のメンテナンス作業での配線の取り回し作業時において、配線の損傷防止、及び基板上の素子の損傷防止のため、基板上に極力配線を通さない工夫や、組立作業時に部品で配線を挟み込んで損傷しないようにする工夫がなされている。
【０００５】
このため、従来、配線をテープで固定して所望の経路で配線を取り回す技術が提案されている（例えば、特許文献２参照）。また、基板上の複数箇所に、配線を保持するクランプ部材を取り付けて、配線を取り回す技術も提案されている。
【先行技術文献】
【特許文献】
【０００６】
【特許文献１】特開２００４−１１６８１３号公報
【特許文献２】特開２００４−０６０９０２号公報
【発明の概要】
【発明が解決しようとする課題】
【０００７】
従来から知られている配線のクランプ部材は、帯状の部材が環状とされて配線が通されると共に、ネジで基板上等の所定の箇所に固定される構成である。このため、配線の経路に合わせて多数のクランプ部材が必要で、装置のコストアップにつながっていた。
【０００８】
また、多数のクランプ部材を、配線を通しながら基板等に取り付けるため、配線の取り回し作業に多くの工数を費やしていた。更に、配線の取り回し作業で配線をクランプ部材に噛み込む可能性があり、配線をクランプ部材に噛み込まないように時間を掛けて作業を行わなければならず、作業効率に影響を及ぼす場合があった。
【０００９】
本発明は、このような課題を解決するためになされたもので、簡単な構成で配線を誘導可能とし、かつ、誘導される配線の損傷を防ぐことが可能な設備機器を提供することを目的とする。
【課題を解決するための手段】
【００１０】
上述した課題を解決するため、本発明は、配線が接続される基板と、配線を保持する複数の配線保持部が一体に設けられ、基板の周縁に沿って配線を誘導する配線誘導部材とを備え、配線誘導部材は、上方から配線が入れられ下方から配線を保持する配線保持部と、下方から配線が入れられ上方から配線を保持する配線保持部が、基板の辺から外側に突出し、基板の辺に沿って交互に設けられると共に、配線誘導部材は、本体シャーシに形成された脚部に挿入される穴部を備え、脚部に取り付けられた基板と本体シャーシとの間に挟持されて、本体シャーシと基板との間に形成された取付空間に固定される設備機器である。
【００１１】
本発明の設備機器では、配線を誘導する配線誘導部材は、配線を保持する複数の配線保持部が一体に設けられ、構成が簡略化される。配線は、配線誘導部材に一体で設けられる複数の配線保持部で基板の周縁に沿って誘導され、個々の配線保持部を基板等に固定する作業は不要で、配線の取り回し作業が簡略化されると共に、配線の取り回し作業での作業ミスに起因する配線等の損傷が防止される。
【発明の効果】
【００１２】
本発明の設備機器によれば、配線を誘導する配線誘導部材は、複数の配線保持部が一体に設けられるので、簡単な構造で、基板の周縁に沿って配線を誘導することができる。
【００１３】
これにより、装置のコストダウンを図ることができる。また、並列される配線保持部の間の任意の箇所の上方または下方から配線が出し入れできるので、配線の取り回し作業が簡略化され、配線の取り回し作業での作業ミスに起因する配線等の損傷を防止することができる。更に、簡単な構成の配線誘導部材で、所望の経路で配線を誘導することができ、配線及び基板上の素子等を保護することができる。
【図面の簡単な説明】
【００１４】
【図１】本実施の形態の浴室換気乾燥暖房機の一例を示す斜視図である。
【図２】本実施の形態の浴室換気乾燥暖房機の一例を示す断面図である。
【図３】本実施の形態の配線誘導部材の一例を示す斜視図である。
【図４】本実施の形態の配線誘導部材の一例を示す平面図である。
【図５】本実施の形態の配線誘導部材の一例を示す正面図である。
【図６】本実施の形態の配線誘導部材の一例を示す側面図である。
【発明を実施するための形態】
【００１５】
以下、図面を参照して本発明の設備機器の実施の形態としての空調装置の一例である浴室換気乾燥暖房機について説明する。
【００１６】
＜本実施の形態の浴室換気乾燥暖房機の構成例＞
図１は、本実施の形態の浴室換気乾燥暖房機の一例を示す斜視図、図２は、本実施の形態の浴室換気乾燥暖房機の一例を示す断面図である。
【００１７】
本実施の形態の浴室換気乾燥暖房機１Ａは、本体部２と、本体部２に設けられる基板３と、基板３等に接続される配線４を、所望の経路で誘導する配線誘導部材５を備える。
【００１８】
本体部２は、基板３が取り付けられる本体シャーシ２０と、基板３が取り付けられた本体シャーシ２０を覆い、本体部２の外郭を構成する金属ケース２１を備える。本体シャーシ２０は樹脂材料で構成され、図２に示す天井板１０１に図示しない締結手段であるネジで取り付けられるフランジ部２２と、風路を形成するファンケース部２３を備え、フランジ部２２とファンケース部２３が一体に成形される。なお、本体シャーシ２０は、難燃性の樹脂材料で構成されるものであっても良い。
【００１９】
フランジ部２２は、本体シャーシ２０の一の側である下部の周縁から、全周にわたって外側に突出する。ファンケース部２３は、本体シャーシ２０の下部から上方に突出した凸形状に構成される。
【００２０】
本体シャーシ２０は、ファンケース部２３の上面に脚部２０ａが一体に設けられ、脚部２０ａに載せられた基板３が、脚部２０ａに締結されるネジ２０ｂにより本体シャーシ２０に固定される。
【００２１】
金属ケース２１は、鉄等の金属の板材で構成され、基板３が取り付けられた本体シャーシ２０のファンケース部２３の全体を覆うと共に、フランジ部２２は露出させる形状を有する。本体部２は、本体シャーシ２０に金属ケース２１が取り付けられると、金属ケース２１の一の側である下部の周縁から、全周にわたってフランジ部２２が外側に突出する。
【００２２】
本体部２は、基板３に実装された素子等で駆動される電気部品として、空気を吸い込んで吹き出すファン部６と、ファン部６で吹き出される空気を加熱するヒータ７と、風路を切り替える風路切替ダンパ８を備える。また、本体部２は、電気部品として、ファン部６で吹き出される空気に正イオンと負イオンのいずれか、あるいは正イオンと負イオンの双方を供給するイオン発生器９を備えても良い。
【００２３】
ファン部６は送風手段の一例で、多翼の羽根車６０と、羽根車６０を回転させるファンモータ６１を備え、本体シャーシ２０のファンケース部２３にファンモータ６１が取り付けられる。
【００２４】
ファンケース部２３は、本体シャーシ２０の一の側である下部から上方に突出し、羽根車６０の外周に沿った略円形の部位と、羽根車６０の接線方向に沿った部位を組み合わせた凸形状に構成される。
【００２５】
本体部２は、本体シャーシ２０の下面に下カバー２４が取り付けられ、ファンケース部２３と下カバー２４により、ファン部６の風路が構成される。本体部２は、ファン部６に室内からの空気が吸い込まれる吸込口２４ａと、ファン部６から室内に空気が吹き出される循環吹出口２４ｂが、下カバー２４に開口を設けて形成される。また、本体部２は、ファン部６から室外に空気が吹き出される換気吹出口２５が、本体シャーシ２０の一の側面に開口を設けて構成される。
【００２６】
ファン部６では、羽根車６０がファンモータ６１に駆動されて回転すると、羽根車６０の内周側から外周側へと遠心方向に空気が吹き出されることで、羽根車６０の軸方向に設けられた吸込口２４ａから吸い込まれる空気の流れが発生する。
【００２７】
また、ファン部６では、羽根車６０が回転することで羽根車６０の遠心方向に吹き出される空気が、ファンケース部２３によって羽根車６０の接線方向に沿って整流され、循環吹出口２４ｂあるいは換気吹出口２５から吹き出される空気の流れが発生する。
【００２８】
ヒータ７は加熱手段の一例で、本例ではＰＴＣヒータが循環吹出口２４ｂに取り付けられる。浴室換気乾燥暖房機１Ａでは、ヒータ７に通電されることでヒータ７が発熱し、循環吹出口２４ｂを通る空気が加熱され、循環吹出口２４ｂから温風が吹き出される。
【００２９】
風路切替ダンパ８は風路開閉手段の一例で、本体部２の下面に設けられる循環吹出口２４ｂと、本体部２の側面に設けられる換気吹出口２５との間に、回転による開閉動作の軸８０が設けられる。風路切替ダンパ８は、ダンパモータ８１の駆動力が伝達され、軸８０を支点に回転して、循環吹出口２４ｂと換気吹出口２５の開閉動作を行う。
【００３０】
イオン発生器９はイオン発生手段の一例で、図示しないイオン発生面をファンケース部２３の内側に露出させて、本体シャーシ２０の上面に取り付けられる。浴室換気乾燥暖房機１Ａでは、イオン発生器９に通電されると、略同数の正イオンと負イオンが供給されることで、循環吹出口２４ｂから正イオンと負イオンを含む空気が吹き出される。
【００３１】
浴室換気乾燥暖房機１Ａは、室内に面して本体部２に取り付けられ、本体部２の下面を覆うフロントパネル１０を備える。フロントパネル１０は、ファン部６の吸込口２４ａと連通して吸込口グリル１１が設けられる。また、ファン部６の循環吹出口２４ｂと連通して吹出口グリル１２が設けられる。
【００３２】
浴室換気乾燥暖房機１Ａは、本体部２の一の側面にダクトジョイント１３を備える。ダクトジョイント１３は、金属ケース２１の一の側面に取り付けられ、ファン部６の換気吹出口２５と連通し、図示しないダクトが接続される。ダクトジョイント１３は、金属ケース２１と同様に金属で構成される。
【００３３】
基板３は、ファンモータ６１、ヒータ７、ダンパモータ８１及びイオン発生器９等を駆動する素子が実装され、これら各電気部品と、図示しないリモートコントロール装置からの配線４（４ａ〜４ｅ）が接続される。また、基板３は、外部からの図示しない電源線等が接続される。
【００３４】
基板３では、配線４ａ〜４ｅが接続されるコネクタ等の端子３０は、基板３に実装される素子の配置及び種類に応じて設定され、一部の端子３０は、基板３の外周に沿って配置される。
【００３５】
浴室換気乾燥暖房機１Ａでは、所定の配線４が配線誘導部材５で誘導される。本例では、ヒータ７からの配線４ａと、イオン発生器９からの配線４ｂと、図示しないリモートコントロール装置からの配線４ｃが、配線誘導部材５で所定の経路に誘導されて、基板３に接続される。また、ファンモータ６１からの配線４ｄと、ダンパモータ８１からの配線４ｅは、配線誘導部材５を通らない経路で基板３と接続される。
【００３６】
＜本実施の形態の配線誘導部材の構成例＞
図３は、本実施の形態の配線誘導部材の一例を示す斜視図、図４は、本実施の形態の配線誘導部材の一例を示す平面図、図５は、本実施の形態の配線誘導部材の一例を示す正面図、図６は、本実施の形態の配線誘導部材の一例を示す側面図である。次に、図１〜図６を参照して、本実施の形態の配線誘導部材の構成及び作用効果について説明する。
【００３７】
配線誘導部材５は、所定の配線４、本例では配線４ａ〜４ｃ等を保持する配線保持部５０ａ，５０ｂと、配線誘導部材５を本体シャーシ２０のファンケース部２３に固定する固定部５１を備える。配線誘導部材５は、難燃性の樹脂材料で構成され、複数の配線保持部５０ａ，５０ｂと固定部５１が一体に成形される。
【００３８】
配線誘導部材５は、一の方向である下方に凸状で、下方から配線４を保持する配線保持部５０ａと、他の方向である上方に凸状で、上方から配線４を保持する配線保持部５０ｂが交互に設けられ、配線保持部５０ａと配線保持部５０ｂが並列される方向に沿って、配線４が通される空間が形成される。
【００３９】
配線誘導部材５は、配線保持部５０ａと配線保持部５０ｂとの間に通された配線４を保持し、配線保持部５０ａと配線保持部５０ｂの配置に合わせて配線４を誘導する。
【００４０】
配線誘導部材５は、配線保持部５０ａ及び配線保持部５０ｂが、本例では、基板３の一の辺である第１の辺３１ａに沿って設けられると共に、基板３の第１の辺３１ａと交差する他の辺である第２の辺３１ｂと第３の辺３１ｃに沿って設けられる。
【００４１】
配線誘導部材５は、下方に凸状で上側が開口した配線保持部５０ａの間に、上方に凸状の配線保持部５０ｂが設けられることで、並列される配線保持部５０ａの間に、下方から配線４が出し入れ可能な隙間が形成される。同様に、上方に凸状で下側が開口した配線保持部５０ｂの間に、下方に凸状の配線保持部５０ａが設けられることで、並列される配線保持部５０ｂの間に、上方から配線４が出し入れ可能な隙間が形成される。
【００４２】
更に、配線誘導部材５は、下方に凸状の配線保持部５０ａの一部分を上方に突出させ、上方に凸状の配線保持部５０ｂの一部分を下方に突出させることで、並列される配線保持部５０ａと配線保持部５０ｂで、配線４が通される方向に対して上下方向に重なる部位を設けて、配線４の外れ防止部５２が形成される。
【００４３】
これにより、配線誘導部材５では、配線保持部５０ａと配線保持部５０ｂとの間に配線４が通されることで、基板３の第１の辺３１ａと第２の辺３１ｂと第３の辺３１ｃに沿って配線４が誘導され、かつ、外れ防止部５２によって側方から配線４が抜けることが防止される。
【００４４】
また、配線誘導部材５では、基板３の第１の辺３１ａと第２の辺３１ｂが交差する第１の角部３２ａと、基板３の第１の辺３１ａと第３の辺３１ｃが交差する第２の角部３２ｂに沿って配線４が誘導される。更に、配線誘導部材５では、並列される配線保持部５０ａと配線保持部５０ｂの間の任意の箇所から、配線４が出し入れされる。
【００４５】
配線誘導部材５は、本体シャーシ２０のファンケース部２３の上面と基板３との間に形成された取付空間２６に固定部５１により取り付けられる。固定部５１は、ファンケース部２３の上面に形成された脚部２０ａに挿入される穴部５１ａと、配線誘導部材５の取付空間２６での高さ方向の位置が固定される突起部５１ｂを備える。
【００４６】
本体シャーシ２０に基板３が取り付けられた本体部２では、本体シャーシ２０のファンケース部２３の上面と基板３との間に、脚部２０ａの高さに応じて取付空間２６が形成される。配線誘導部材５は、ファンケース部２３の脚部２０ａに固定部５１の穴部５１ａが挿入され、脚部２０ａに載せられた基板３がネジ２０ｂにより本体シャーシ２０に固定されることで、突起部５１ｂが本体シャーシ２０と基板３との間に挟持され、取付空間２６に固定される。
【００４７】
取付空間２６に取り付けられた配線誘導部材５は、配線保持部５０ａと配線保持部５０ｂが、基板３の辺から外側に突出して、基板３の第１の辺３１ａ、第２の辺３１ｂ及び第３の辺３１ｃに沿って配置される。
【００４８】
配線誘導部材５は、複数の配線保持部５０ａ，５０ｂと、固定部５１が一体に構成されるので、基板３の辺に沿った複数箇所で配線４を誘導する配線誘導部材５の構成を簡略化して、低コスト化を図ることができる。
【００４９】
また、配線誘導部材５は、本体シャーシ２０に基板３を取り付けることで、基板３と共に本体シャーシ２０に取り付けられるので、取付作業も容易に行え、製造コストの低コスト化を図ることができる。
【００５０】
本体シャーシ２０と基板３との間の取付空間２６に配線誘導部材５が取り付けられた本体部２では、所定の配線４、本例では配線４ａ〜４ｃ等が、配線誘導部材５によって誘導される。
【００５１】
配線誘導部材５は、下方に凸状で上側が開口した配線保持部５０ａと、上方に凸状で下側が開口した配線保持部５０ｂが交互に設けられることで、配線保持部５０ａが設けられる部位では、上方から配線４が入れられる。また、配線保持部５０ｂが設けられる部位では、下方から配線４が入れられる。
【００５２】
これにより、配線誘導部材５は、配線保持部５０ａと配線保持部５０ｂとの間に、容易に配線４を通すことができる。特に、配線４にコネクタ４０が接続されている場合でも、コネクタ４０自体は、配線保持部５０ａと配線保持部５０ｂとの間を通す必要はない。
【００５３】
また、並列される配線保持部５０ａと配線保持部５０ｂで、配線４が通される方向に対して上下方向に重なる部位を設けて外れ防止部５２が形成されることで、配線保持部５０ａと配線保持部５０ｂとの間に通された配線４が、不用意に外れることを防止できる。
【００５４】
更に、並列される配線保持部５０ａと配線保持部５０ｂの間の任意の箇所から、配線４が出し入れできるので、配線４の誘導経路を、電気部品の配置等に応じて容易に異ならせることができる。
【００５５】
例えば、ヒータ７からの配線４ａは、基板３の第１の辺３１ａに沿って配置される配線保持部５０ａと配線保持部５０ｂの途中から出し入れされることで、第１の辺３１ａの一部と、第２の辺３１ｂに沿った経路とすることができる。ヒータ７と接続される配線４ａは、高電流が流れる。そこで、配線誘導部材５を使用することで、基板３上の各種素子等から離れた位置で、かつ、配線自体が必要十分に最短の長さとなるように、配線４ａの誘導経路を決定することができる。
【００５６】
これに対して、イオン発生器９からの配線４ｂと、図示しないリモートコントロール装置からの配線４ｃは、基板３の各辺に沿って配置される配線保持部５０ａと配線保持部５０ｂとの間に通されることで、基板３の第１の辺３１ａ、第２の辺３１ｂ及び第３の辺３１ｃに沿った経路とすることができる。
【００５７】
このように、配線誘導部材５では、配線保持部５０ａと配線保持部５０ｂとの間に、容易に配線４を通すことができるので、配線の取り回し作業を簡略化でき、配線４を所定の経路で配線保持部５０ａ，５０ｂで保持する組み立て作業のバラツキを抑えることができる。これにより、ネジで締結される部材間に配線を挟む等、配線４の損傷につながるような作業を排除して、配線４を保護することができる。
【００５８】
また、配線誘導部材５では、単一の部材で、配線４を異なる経路で誘導できるので、イオン発生器９の有無等、仕様の違う装置であっても、単一の配線誘導部材５で対応して、最適な経路で配線４を誘導することができる。
【００５９】
更に、基板３の周縁に沿って所定の配線４を誘導することができるので、配線の取り回し作業で、基板３上の素子等の損傷を防止することができる。また、基板３上の素子等が損傷した場合に、配線４への影響を抑えることができる。
【００６０】
なお、配線誘導部材５では、基板３の例えば強電エリア等、所定の位置を覆う形状で固定部５１を構成すると共に、固定部５１に金属板材等を一体で成形することで、樹脂材料で構成される本体シャーシ２０を保護する構成を、配線誘導部材５と一体に設けて、部品点数の削減、及び組立工数の削減を図ることができる。
【００６１】
＜本実施の形態の浴室換気乾燥暖房機の動作例＞
次に、各図を参照して、本実施の形態の浴室換気乾燥暖房機の動作の一例について説明する。
【００６２】
浴室換気乾燥暖房機１Ａでは、風路切替ダンパ８の位置を、図２に実線で示すように換気吹出口２５を閉じる循環位置とすると、循環吹出口２４ｂが開いて、吸込口２４ａから循環吹出口２４ｂへ連通した循環風路が形成される。
【００６３】
また、浴室換気乾燥暖房機１Ａでは、風路切替ダンパ８の位置を、図２に一点鎖線で示すように循環吹出口２４ｂを閉じる換気位置とすると、換気吹出口２５が開いて、吸込口２４ａから換気吹出口２５へ連通した換気風路が形成される。
【００６４】
更に、浴室換気乾燥暖房機１Ａでは、風路切替ダンパ８の位置を、図２に破線で示す循環位置と換気位置の間の循環換気位置とすると、循環吹出口２４ｂと換気吹出口２５の双方が開いて、循環風路と換気風路の双方が形成される。
【００６５】
浴室換気乾燥暖房機１Ａでは、羽根車６０がファンモータ６１に駆動されて回転することで、フロントパネル１０の吸込口グリル１１か浴室内の空気が吸い込まれる。浴室換気乾燥暖房機１Ａでは、風路切替ダンパ８が循環位置にあると、吸込口グリル１１から吸い込まれた浴室内の空気は、フロントパネル１０の吹出口グリル１２から浴室内に吹き出される。
【００６６】
また、浴室換気乾燥暖房機１Ａでは、風路切替ダンパ８が換気位置にあると、吸込口グリル１１から吸い込まれた浴室内の空気は、換気吹出口２５から図示しないダクトを通り屋外へ排気される。
【００６７】
更に、浴室換気乾燥暖房機１Ａでは、風路切替ダンパ８が循環換気位置にあると、吸込口グリル１１から吸い込まれた浴室内の空気の所定量は、換気吹出口２５から屋外へ排気され、残量がフロントパネル１０の吹出口グリル１２から浴室内に吹き出される。
【００６８】
浴室換気乾燥暖房機１Ａでは、ヒータ７が駆動されることで、吹出口グリル１２から温風が吹き出される。また、イオン発生器９が駆動されることで、吹出口グリル１２から正イオンと負イオンを含む空気が吹き出される。
【００６９】
これにより、浴室換気乾燥暖房機１Ａでは、浴室内の空気を吸い込んで、屋外に排気する動作、ヒータ７を駆動することで、温風を浴室内に吹き出して暖房を行う動作、換気を行いながら温風を吹き出して、衣類等の乾燥を行う動作が行われる。また、イオン発生器９を駆動することで、正イオンと負イオンを含む空気を浴室内に吹き出す動作が行われる。
【産業上の利用可能性】
【００７０】
本発明は、配線で接続される各種電気部品を有した設備機器に適用される。
【符号の説明】
【００７１】
１Ａ・・・浴室換気乾燥暖房機、１０・・・フロントパネル、１１・・・吸込意口グリル、１２・・・吹出口グリル、１３・・・ダクトジョイント、２・・・本体部、２０・・・本体シャーシ、２０ａ・・・脚部、２０ｂ・・・ネジ、２１・・・金属ケース、２２・・・フランジ部、２３・・・ファンケース部、２４・・・下カバー、２４ａ・・・吸込口、２４ｂ・・・循環吹出口、２５・・・換気吹出口、２６・・・取付空間、３・・・基板、３０・・・端子、３１ａ・・・第１の辺、３１ｂ・・・第２の辺、３１ｃ・・・第３の辺、３２ａ・・・第１の角部、３２ｂ・・・第２の角部、４（４ａ〜４ｅ）・・・配線、４０・・・コネクタ、５・・・配線誘導部材、５０ａ，５０ｂ・・・配線保持部、５１・・・固定部、５１ａ・・・穴部、５１ｂ・・・突起部、５２・・・外れ防止部、６・・・ファン部、６０・・・羽根車、６１・・・ファンモータ、７・・・ヒータ、８・・・風路切替ダンパ、８０・・・軸、８１・・・ダンパモータ、９・・・イオン発生器
【図１】
0005982801.tif 000002
【図２】
0005982801.tif 000003
【図３】
0005982801.tif 000004
【図４】
0005982801.tif 000005
【図５】
0005982801.tif 000006
【図６】
0005982801.tif 000007